(57)【要約】【課題】  押出しにより断面多角形の長尺被覆体を形成する際に、目標形状に忠実な多角形の断面を得ることを目的とする。【解決手段】  被覆体の断面形状が多角形となるように長尺被覆物を押出し成形する押出し用ダイス１において、前記押出し用ダイス１の穴２の形状が、多角形の頂点Ｐと、隣接する頂点Ｐ間を結ぶ辺Ｌを備えており、前記隣接する頂点Ｐ間を結ぶ辺Ｌが内側に湾曲していることを特徴とする。特に、前記穴２の形状における湾曲の深さをＴ、隣接する前記頂点Ｐの間の距離をＷとしたときに、０．１００≦Ｔ／Ｗ≦０．２２８  とする。【選択図】  図１
2005230842.tif 000002
【特許請求の範囲】
【請求項１】
被覆体の断面形状が多角形となるように長尺被覆物を押出し成形する押出し用ダイスにおいて、前記押出し用ダイスの穴の形状が、多角形の頂点と、隣接する頂点間を結ぶ辺を備えており、前記隣接する頂点間を結ぶ辺が内側に湾曲していることを特徴とする押出し用ダイス。
【請求項２】
前記多角形の角数が１０以上であることを特徴とする請求項１に記載の押出し用ダイス。
【請求項３】
前記穴の形状における湾曲の深さをＴ、隣接する前記頂点の間の距離をＷとしたときに、０．１００≦Ｔ／Ｗ≦０．２２８  であることを特徴とする請求項１又は請求項２に記載の押出し用ダイス。
【請求項４】
前記頂点に外側に向けて丸みを設けたことを特徴とする請求項１〜３のいずれか一つに記載の押出し用ダイス。
【請求項５】
請求項１〜４のいずれか一つに記載の押出し用ダイスにより押出して製造されたことを特徴とする長尺被覆物。
【発明の詳細な説明】
【技術分野】
【０００１】
本発明は、例えば架空に敷設される絶縁電線、ケーブル（光ケーブルを含む）、電線やケーブルを保護する筒状のプロテクタ等の架空長尺被覆物を製造する押出し用ダイス、及び該押出し用ダイスを使用して製造した長尺被覆物に関するものである。
【背景技術】
【０００２】
架空配電線には、一般に銅又はアルミニウム導体の外周にポリ塩化ビニル、ポリエチレン、架橋ポリエチレン等の絶縁材料を押出し成形して形成される被覆体（シースを含む。以下同じ。）を設けた被覆電線が用いられる。このような被覆電線においては、風圧荷重を低減するために、被覆体の断面を円形以外の形状とすることが効果的である。この中で、本出願人による特願２００３−２８５２０２号に提案されているように、断面を多角形としたものが用いられることも多い。図５は、このような断面多角形の架空絶縁電線の断面図である。この架空絶縁電線１０は、導体１１を被覆する絶縁被覆体１２の外形が複数の頂点Ｐを有する多角形となっている。
【０００３】
従来、このような多角形断面を有する被覆電線を製造するには、目標形状と同一又は相似形状の穴を有する押出し用ダイスを使用していた。
【発明の開示】
【発明が解決しようとする課題】
【０００４】
断面多角形の絶縁層を押出しにより形成する場合、角数の少ない多角形形状に関しては目標形状に対して同一又は相似な形状の穴を持つ多角形ダイスを用いて成形が可能であった。しかし、図５のように角数の多い多角形形状の場合、通常の多角形ダイスを用いると押出し後の出来上がり形状が円形に近づいてしまうという問題があった。このような出来上がり形状の円形化は、押出し中における絶縁層材料の熱収縮の不均一により、多角形頂点のような突き出した形状は冷却中に円周方向に引っ張られて平均化されるとともに、辺の部分は外側に膨らむことが原因である。このような場合、電線の低風圧効果を十分に得ることができず、問題となっていた。
【０００５】
上記に鑑み、本発明は、押出しにより断面多角形の長尺被覆体を形成する際に、目標形状に忠実な多角形の断面を得ることを目的とする。
【課題を解決するための手段】
【０００６】
以上の目的を達成するため、本発明は、被覆体の断面形状が多角形となるように長尺被覆物を押出し成形する押出し用ダイスにおいて、前記押出し用ダイスの穴の形状が、多角形の頂点と、隣接する頂点間を結ぶ辺を備えており、前記隣接する頂点間を結ぶ辺が多角形の内側（中心側）に湾曲していることを特徴とするものである。
【０００７】
押出し用ダイスの穴の形状を、従来のように目標形状と同一又は相似にするのではなく、上記のような熱収縮の不均一を考慮した形状にすることによって、押出し後の形状の円形化を防ぎ、目標形状に忠実な多角形の押出し断面形状を得ることができる。
【０００８】
前記押出し用ダイスは、目標とする断面形状が角数１０以上の多角形である場合に顕著な効果を奏する。
【０００９】
前記穴の形状としては、特に、湾曲の深さをＴ、隣接する前記頂点の間の距離をＷとしたときに、０．１００≦Ｔ／Ｗ≦０．２２８  とすると、多角形の押出し断面形状を得る上で特に効果的である。
【００１０】
また、前記頂点に外側に向けて丸みを設けることとすると、押出し後の断面形状において頂点部に尖りが生じることを防ぐことができる。
【００１１】
上記の押出し用ダイスを使用して製造される長尺被覆物は、断面が目標形状に忠実な多角形となる。
【発明の効果】
【００１２】
本発明によれば、被覆体の断面形状を目標形状に忠実な多角形とした多角形長尺被覆物を製造することができる。このため、架空絶縁電線などを製造する際に、優れた低風圧効果を具備させることができる。
【発明を実施するための最良の形態】
【００１３】
以下、図面を参照して本発明の好適な実施形態について説明する。
【００１４】
図１（ａ）に、本発明の押出し用ダイスの断面図を示す。この押出し用ダイス１は、穴２の形状が、多角形の頂点Ｐと、隣接する頂点間を結ぶ辺Ｌを備えており、前記辺Ｌは穴２の内側（中心側）に向かって湾曲している。辺Ｌの湾曲形状は、円弧状などとする。ここでは、目標形状が正２０角形の場合について示した。図１（ａ）の一部拡大図を図１（ｂ）に示す。押出しの目標形状は、点線３で表される。また、湾曲の深さをＴ、隣接する頂点間の距離をＷ、対角寸法をｄとする。
【００１５】
図２に、比較のために従来の多角形断面の押出し用ダイスの断面図を示す。押出し用ダイス１は、穴２の形状が正２０角形となっている。
【実施例】
【００１６】
種々の角数を持つ断面多角形の低風圧型架空絶縁電線を、本発明及び従来の押出し用ダイスを用いて形成した。押出しの目標形状は、対角寸法ｄを２０〜３０ｍｍ、角数を６〜２０の正多角形とした。押出し後の断面形状を評価した結果を表１に示す。
【００１７】
表１  本発明及び従来の押出し用ダイスによる押出し後の断面形状評価結果
2005230842.tif 000003
【００１８】
表１より、次のことがわかる。従来のダイスを用いた場合、目標形状の多角形の角数が１０未満の場合は押出し後の形状として問題のない多角形形状が得られているが、目標形状の多角形の角数が１０以上の場合は、押出し後の形状は、辺が外側に膨らみ、円形に近くなる。一方、本発明のダイスを用いた場合、目標形状の多角形の角数が２０と大きくても押出し後の形状は多角形を保っている。したがって、目標形状の多角形の角数が１０以上の場合においては、従来のダイスを用いた場合に比べて、本発明のダイスを用いる効果が大きい。特に、角数が１６以上の場合に効果が大きい。
【００１９】
次に、本発明のダイスにおいて、ダイス穴形状におけるＴ／Ｗ比が押出し後の多角形形状の良否に及ぼす影響について調べた。すなわち、種々のＴ／Ｗ比を持つ本発明のダイスを用い、押出し後の断面形状を評価した。その結果を表２に示す。
【００２０】
表２  本発明のダイスによる押出し後の断面形状評価結果
2005230842.tif 000004
【００２１】
表２より、本発明のダイスにおいて押出し後に多角形形状が得られるのは、Ｔ／Ｗ比が０．１００〜０．２２８の範囲であるが、好ましくは、Ｔ／Ｗ比が０．１１７〜０．２２５の範囲、更に好ましくはＴ／Ｗ比が０．１４４付近であることがわかる。更に、実験により検討を加えた結果、Ｔ／Ｗ比が０．１１７〜０．１２５程度であれば、辺がわずかに膨らんでいても良好な低風圧効果が得られることがわかった。
【００２２】
なお、本発明のダイス穴形状は頂点部が目標形状に比べて小さい角度となるため、押出し後の実際形状は、頂点部が若干形状を保持して図３（ａ）のように尖った部分が生じることがある（実際形状５）。これに対しては、図３（ｂ）に示すように、ダイスの穴形状４における頂点Ｐに、外側に向けて丸みをつけることが効果的である。
【００２３】
ところで、低風圧電線においては、目標形状の断面として、多角形の頂点の角部にくぼみを設けた、図４の目標形状３のような押出し形状とすることがある。本発明において多角形と言う場合は、このようなくぼみを持ったものも含むこととする。すなわち、目標形状が上記のようなくぼみを持った多角形の場合、ダイス穴形状４は、くぼみに対応した部分と、くぼみのない仮想的な多角形の頂点Ｐを結ぶ内側に湾曲した線Ｌにより構成される。
【００２４】
以上、説明したような形状のダイスを用いて例えば架空絶縁電線を製造すると、図５に示すような断面多角形の架空絶縁電線を容易に得ることができる。
【００２５】
本発明の適用可能な長尺被覆物としては、前記架空絶縁電線以外に光ケーブル、筒状のプロテクタ、橋梁ケーブル、旗ポール等が挙げられ、前記架空絶縁電線の場合と同様に、目標形状に忠実な多角形断面を得る効果を奏するものである。
【図面の簡単な説明】
【００２６】
【図１】（ａ）は、本発明の実施形態に係るダイスの断面図である。（ｂ）は、（ａ）の一部拡大図である。
【図２】従来のダイスの断面図である。
【図３】（ａ）は、本発明の実施形態における押出し後の実際形状の例を示す一部拡大断面図である。（ｂ）は、本発明の他の実施形態例に係るダイスの一部拡大断面図である。
【図４】は、本発明の他の実施形態にかかるダイスの一部拡大断面図である。
【図５】は、一般的な多角形断面を有する架空絶縁電線の断面図である。
【符号の説明】
【００２７】
１  ダイス
２  ダイス穴
３  目標形状
４  ダイス穴形状
５  実際形状
１０  架空絶縁電線
１１  導体
１２  絶縁被覆体
Ｐ  頂点
Ｌ  辺
Ｔ  湾曲深さ
Ｗ  頂点間の距離
【図１】
2005230842.tif 000005
【図２】
2005230842.tif 000006
【図３】
2005230842.tif 000007
【図４】
2005230842.tif 000008
【図５】
2005230842.tif 000009